(57)【要約】【課題】着用時のずれや着心地を改善する。【解決手段】腹部から臀部の周囲を覆う筒状の本体部１０と、本体部１０よりも締め付け力が高く、着用者の左右の大転子から股下までの臀部の皮膚に沿う最短距離を通過する仮想基準ラインＬを上下方向に跨ぐように配置される所望面積の緊締部２０を有する。【選択図】図１
2014189919.tif 000002
【特許請求の範囲】
【請求項１】
腹部から臀部の周囲を覆う筒状の本体部を備える股付き衣類であって、
前記本体部よりも締め付け力が高く、着用者の左右の大転子から股下までの臀部の皮膚に沿う最短距離を通過する仮想基準ラインを上下方向に跨ぐように配置される所望面積の緊締部
を有することを特徴とする股付き衣類。
【請求項２】
腹部から臀部の周囲を覆う筒状の本体部を備える股付き衣類であって、
前記本体部よりも締め付け力が高く、大転子を通り股下方向へ延びる仮想基準ラインを上下方向に跨ぐように配置される所望面積の緊締部を有し、
前記基準ラインは、水平方向に対して１２〜３２度傾斜している、
ことを特徴とする股付き衣類。
【請求項３】
前記緊締部は、前記基準ラインに沿って上方向に断続的に突出するように形成され、前記突出した部分は、仮想的に突出方向の全長を2等分するように上下に分割したときに上側部分が下側部分よりも面積が小さくなるように形成されている、ことを特徴とする請求項１または２に記載の股付き衣類。
【請求項４】
前記緊締部は、前記基準ラインに沿って下方向に断続的に突出するように形成され、前記突出した部分は、仮想的に突出方向の全長を２等分するように上下に分割したときに下側部分が上側部分よりも面積が小さくなるように形成されている、ことを特徴とする請求項１から３のいずれか１項に記載の股付き衣類。
【請求項５】
前記本体部及び前記緊締部に隣接し、前記本体部よりも締め付け力が大きく、前記緊締部よりも弛緩性のある所望面積の補助緊締部を前記緊締部の間に前記基準ラインに沿って有することを特徴とする請求項３または４に記載の股付き衣類。
【発明の詳細な説明】
【技術分野】
【０００１】
本発明は、股付き衣類に関するものである。
【背景技術】
【０００２】
ガードル等の人体にフィットする衣類では、着用安定感が重要である。例えば、着用時にずり上がり等のずれが生じた場合、着心地が悪くなる。また、補整機能を有する衣類の場合には、着用時にずれが生じた場合、補整機能を果たすことができなくなるおそれがある。
【０００３】
ボトム衣類に関し、着用時にずれが生じやすい箇所の一例として、臀溝付近があげられる。特に、ガードルの場合、臀溝付近にずれが生じると、着心地が悪化するのに加え、ガードルの目的のひとつであるヒップアップを実現することも困難になる。そのため、従来から、ボトム衣類の臀溝部分のずれや着心地の改善のため、臀溝部分の緊締部の形状や材質が工夫されている（例えば、特許文献１参照）。
【先行技術文献】
【特許文献】
【０００４】
【特許文献１】登録実用新案第３０１４３１９号公報
【発明の概要】
【発明が解決しようとする課題】
【０００５】
しかしながら、従来のように臀溝部分で形状、材質、緊締力等を工夫した場合であっても、十分に臀溝部分のずれや着心地を改善することは困難であった。
【０００６】
本発明は、上記の技術的課題に鑑みて、着用時のずれや着心地を改善する股付き衣類を提案する。
【課題を解決するための手段】
【０００７】
本発明は、腹部から臀部の周囲を覆う筒状の本体部を備え、前記本体部よりも締め付け力が高く、着用者の左右の大転子から股下までの臀部の皮膚に沿う最短距離を通過する仮想基準ラインを上下方向に跨ぐように配置される所望面積の緊締部を有することを特徴とする股付き衣類である。
【発明の効果】
【０００８】
本発明は、股付き衣類の着用時のずれや着心地を改善することができる。
【図面の簡単な説明】
【０００９】
【図１】図１は、本発明の実施形態に係る股付き衣類を説明する図である。
【図２】図２は、図１の股付き衣類と下半身の部位を説明する図である。
【図３】図３は、臀溝と下半身の運動との関係を説明する図である。
【図４】図４は、図１の股付き衣類の基準ラインと下半身の運動との関係を説明する図である。
【図５】図５は、実施例及び比較例の股付き衣類着用時の運動の前後を比較する図である。
【図６】図６は、図５の着用状態の等高線図である。
【図７】図７は、実施例及び比較例の着用時を比較する図である。
【図８】図８は、第１変形例に係る股付き衣類を説明する図である。
【図９】図９は、第２変形例に係る股付き衣類を説明する図である。
【図１０】図１０は、第３変形例に係る股付き衣類を説明する図である。
【発明を実施するための形態】
【００１０】
以下に、図面を用いて本発明の実施形態に係る股付き衣類について説明する。本発明の実施形態で説明する股付き衣類は、例えば、ガードル等の股部（クロッチ部）付きの衣類である。ここでは、女性用のガードルを用いて説明するが、ガードルの他、ショーツ（特に、補整機能付きショーツ）、パンティストッキング、タイツ、レギンス、水着、レオタード、ボディースーツ、スポーツ用タイツ、男性用ボトム衣類、ストレッチ性を有するズボン（パンツ）のように臀部を覆うように形成され、臀部のずれ上がりを防止する必要がある股付き衣類であれば適用することができる。
【００１１】
図１に実施形態に係る股付き衣類であるガードル１Ａの背面斜視図を示す。なお、図１はガードル１Ａを人が着用した際の形状を表している。また、図２に、本発明の実施形態に係るガードル１Ａの背面図と人体の部位の位置関係を示す。具体的には、図２では、大転子３００、股下３０１及び臀溝３０２の位置を示している。なお、ここでは、「股下高」を特定する位置を股下３０１として説明する。また、「股下高」とは、立位姿勢において、床面からクロッチ部の最下点までの距離をいう。
【００１２】
図１に示すように、ガードル１Ａは、腹部から臀部の周囲を覆う筒状の本体部１０を備え、着用者の臀部及び腹部にフィットする性質を有している。ガードル１Ａには、図２に示すように、着用者の臀溝３０２より上部分であって、着用者の左右の大転子３００から股下３０１までの臀部に皮膚に沿う最短距離を通過する仮想のラインである基準ラインＬを上下方向に跨ぐように、本体部１０よりも締め付け力の高い所望面積のヒップ緊締部２０が設けられている。このヒップ緊締部２０は、例えば、基準ラインＬより上側の上側緊締部２１と、基準ラインＬより下側の下側緊締部２２とを有している。また、ガードル１Ａは、着用者の股部分に設けられるクロッチ部である股部１１と、着用者のウエスト部分に設けられるウエストサポート部１２と、本体部１０とヒップ緊締部２０の間に設けられる補助緊締部１３とを有している。
【００１３】
ここでは、ガードル１Ａの股部１１、ウエストサポート部１２、補助緊締部１３及びヒップ緊締部２０以外の部分を本体部１０という。本体部１０は、伸縮性を有する素材によって着用者にフィットするように形成されている。例えば、本体部１０は、ツーウェイラッセル、ツーウェイトリコット、パワーネット、サテンネット、トリコネット、ベア天竺、ストレッチレースを用いた編地によって形成される。
【００１４】
股部１１は、例えば、本体部１０と同一の素材で形成されている。その他、本体部１０又はヒップ緊締部２０の一部であってもよい。
【００１５】
ウエストサポート部１２は、着用者のウエスト部分に設けられている。例えば、ウエストサポート部１２は、本体部１０と同一の素材で形成される。また、ウエストサポート部１２は、編地編成、当て布、樹脂プリント（樹脂加工）、抜蝕加工（ケミカルプリント）等を利用して、本体部１０よりも強い締め付け力になるように形成されている。ガードル１Ａは、ウエストサポート部１２の締め付け力により、着用者の腹部の贅肉の膨出を抑制してウエスト部分をサポートし、美しいシルエットを作ることができる。
【００１６】
ウエストサポート部１２は、例えば、着用者の前面（前身頃）から両方の側部を通って背面（後身頃）まで帯状に形成されている。このウエストサポート部１２の前面から背面までの幅は一定に限られない。なお、ウエストサポート部１２は、着用者のウエスト部分をサポートすることができればその形状は限定されない。また、ウエストサポート部１２は、前面から背面の全てを同一の締め付け力に形成する必要はなく、複数の異なる締め付け力によって段階的にウエスト部分をサポートしてもよい。
【００１７】
補助緊締部１３は、ガードル１Ａの後身頃において本体部１０及びヒップ緊締部２０と隣接して設けられている。例えば、補助緊締部１３は、本体部１０と同一の素材で形成される。また、補助緊締部１３は、編組織の変更（いわゆる編み組織の変更）、当て布、樹脂プリント（樹脂加工）、抜蝕加工（ケミカルプリント）等を利用して、本体部１０よりも強い締め付け力を有し（いわゆるパワー切り替え）、ヒップ緊締部２０よりも弛緩性を有するように所望面積で形成されている。図１に示す例では、補助緊締部１３は、基準ラインＬに沿ってヒップ緊締部２０の間に設けられている。
【００１８】
なお、本例では、ガードル１Ａに補助緊締部１３が設けられている例を挙げているが、ガードルの仕様によっては、補助緊締部１３を設けない構成としてもよい。
【００１９】
図１及び図２では、説明を簡単にするため、締め付け力の違いを、異なるハッチングを用いて示している。図１及び図２を用いて説明するガードル１Ａの一例では、本体部１０の締め付け力が最も弱く、ウエストサポート部１２及び補助緊締部１３は本体部１０よりも締め付け力が強く、ヒップ緊締部２０は、ガードル１Ａにおいて最も締め付け力が高いものとする。なお、図１及び図２を用いて説明する締め付け力の違いは一例であって、これに限定されない。
【００２０】
また、図２では、ヒップ緊締部２０、基準ラインＬ、及びその周辺の構成の位置関係を分かり易く説明するために、ヒップ緊締部２０の形状を一部簡略化して示している。
【００２１】
ヒップ緊締部２０は、上述したように、着用者の左右の大転子３００から股下３０１までの臀部の皮膚に沿う最短距離を通過する基準ラインＬを上下方向に跨ぐように設けられている。この基準ラインＬは臀溝３０２よりも上側に位置するため、ヒップ緊締部２０は臀溝３０２より上側に設けられている。なお、図２において、ヒップ緊締部２０は、臀溝３０２の一部に上方から架かっているが、図２に示すように、ヒップ緊締部２０の一部が臀溝３０２上に位置していてもよいし、ヒップ緊締部２０が全く臀溝３０２上に位置していなくてもよい。
【００２２】
また、例えば、着用者の大転子３００を通る水平線とヒップ緊締部２０が設けられる基準ラインＬとで形成される角度αは、複数の被験者の大転子３００と股下３０１の位置関係を測定して求めることが好ましく、具体的には、１２〜３２度の範囲とすることが好ましく、より好ましくは１７〜２８度の範囲とすることが好適である。これにより、基準ラインＬを覆う位置にヒップ緊締部２０を設けることができる。
【００２３】
なお、上述した角度αの一例を求める際の測定の対象とする被験者には、着用するガードルのサイズが異なる者をそれぞれ複数名ずつ選んでいるため、この角度は、各サイズに対応可能である。
【００２４】
ヒップ緊締部２０は、強い締め付け力によりヒップを引き上げる補整機能を有している。着用者の臀部の膨出部の上方をボリュームアップすることで、ヒップを美しく造形することができる。例えば、ヒップ緊締部２０は、本体部１０と同一の素材で形成される。また、ヒップ緊締部２０は、編地編成、当て布、樹脂プリント（樹脂加工）、抜蝕加工（ケミカルプリント）等を利用して、本体部１０及びウエストサポート部１２よりも強い締め付け力（低い伸縮性）になるように形成されている。なお、ヒップ緊締部２０は、全範囲に渡る全てを同一の締め付け力に形成する必要はなく、複数の異なる締め付け力によって段階的にヒップを補整するようにしてもよい。
【００２５】
なお、上記実施形態では、本体部１０にヒップ緊締部２０及び補助緊締部１３が一体的に形成されている例を挙げているが、本発明は、これに限定されるものではない。例えば、ヒップ緊締部２０及び補助緊締部１３を本体部とは別の部材に形成し、本体部１０に取り付けるようにしてもよい。この場合には、上記の別の部材の上辺部分を除く縁部分を本体部１０に縫着や接着等によって取り付けることが考えられる。これにより、上辺部分に縫着等の接合部が形成されないため外観上好適である。
【００２６】
また、ヒップ緊締部２０は、基準ラインＬを跨ぐように配置されることで、臀溝３０２付近で生じるずれを防止する機能を有している。
【００２７】
人間は、歩行運動、立位姿勢と座位姿勢との間における運動等、日常生活において様々な運動を行っている。これら運動の際、臀溝３０２部分は、皮膚の変化率（伸展率）が大きい部分である。図３を用いて、運動による臀溝３０２の変化について説明する。図３（ａ）及び図３（ｂ）は、静止立位状態である人の右側の大転子３００から股下３０１まで臀溝３０２を通って結ぶ線を表している。具体的には、図３（ａ）は、人の臀部の背面斜視図であり、図３（ｂ）は、人の臀部の背面図である。
【００２８】
図３（ｂ）において、静止時を基準として右側の脚上げ時（片脚上げ時）の皮膚の上下方向の変化率（伸展率）を示している。図３（ｂ）に示すように、静止時を１．０としたとき、臀溝３０２部分の脚上げ時の変化率は１．５倍以上となっていることが分かる。また、臀溝３０２を含む位置より下側の位置では、臀溝３０２よりは低く、臀溝３０２を含む位置より上側では上側に離れるに従い１．２〜１．０倍と次第に低くなる。
【００２９】
また、図３（ｃ）及び図３（ｄ）は、人間の臀部の斜視図である。図３（ｃ）は、静止立位状態である人の臀溝３０２の位置を示している。また、図３（ｄ）は、脚上げ時（片脚上げ時）における脚上げ前の臀溝位置３０２Ａからの変化を表している。図３（ｄ）を図３（ｃ）と比較すると、脚上げ時には、脚上げ前の臀溝位置３０２Ａと人体の皮膚との間に大きく空間Ｓができており、脚上げにより、臀溝３０２の皮膚が伸び、形状、寸法も変化していることが分かる。
【００３０】
したがって、臀溝３０２部分に緊締部を設けた場合、歩行や着席等の下半身の運動に応じた臀溝３０２の変化に合わせて緊締部も移動し、衣類のずり上がりが発生しやすい。一方、着用者の大転子３００から股下３０１までを結ぶ基準ラインＬは、臀溝３０２と比較して、皮膚の変化率が小さい部分である。
【００３１】
図４を用いて、運動による大転子３００から股下３０１までの臀部の皮膚に沿う最短距離の基準ラインＬの変化について説明する。図４（ａ）及び図４（ｂ）は、静止立位状態である人の右側の大転子３００から股下３０１までの皮膚に沿う最短距離の基準ラインＬを示す図である。具体的には、図４（ａ）は、人の臀部の背面斜視図であり、図４（ｂ）は、人の臀部の背面図である。図４（ｂ）において、図３（ｂ）と同様に、静止時を基準として右側の脚上げ時の皮膚の変化率を示している。図４（ｂ）に示すように、静止時を１．０としたとき、基準ラインＬ部分の脚上げ時の変化率は１．２倍前後であり、臀溝３０２部分と比較して変化率が小さいことが分かる。
【００３２】
また、図４（ｃ）は静止立位時の基準ラインＬの位置を示す斜視図であり、図４（ｄ）は右側の脚上げ時における脚上げ前の基準ライン位置ＬＡからの変化を示している。図４（ｄ）を図４（ｃ）と比較すると、脚上げ時には、脚上げ前の基準ライン位置ＬＡと人体の皮膚との空間Ｓは小さく、脚上げによる基準ラインＬ部分の皮膚の伸展が小さいことが分かる。これは、図４（ｄ）を図３（ｄ）と比較したときにも分かり、基準ラインＬ部の脚上げによる皮膚の変化は、臀溝３０２と比較すると小さいことが分かる。
【００３３】
したがって、臀溝３０２と比較して、皮膚の変化率の小さい基準ラインＬ部分に緊締部を設けた方が、歩行や着席等の下半身運動の際にも緊締部の移動も生じにくく、ガードル１Ａの臀部部分におけるずり上がりも生じにくい。換言すると、ガードル１Ａでは、臀部の皮膚の伸び率が最大の位置よりも低い伸び率の位置を含む位置にヒップ緊締部２０を設けることで、ヒップ緊締部２０やヒップ緊締部２０の上下部分のずり上がりを防止することができる。
【００３４】
ヒップ緊締部２０は、臀溝３０２の位置よりも上方の基準ラインＬを跨ぐように配置することで、単なる帯状であっても着用時のずれを防止することができる。しかしながら、例えば、ヒップ緊締部２０は、その稜線が図１に示すようにジグザグ形状に形成されていることが好ましい。（なお、前記のジグザグ形状とは、断続的に突出する形状とも表現することができる。）具体的には、上側緊締部２１は、基準ラインＬを基準として上方向に先細りとなる形状であって、基準ラインＬ上に底辺部分が連続した形態で配置してある。上側緊締部２１の稜線を見るとジグザグ形状に形成されている。また、下側緊締部２２は、基準ラインＬを基準として下方向に先細りとなる形状であって、基準ラインＬ上（下側）に底辺部分が連続した形態で配置してある。下側緊締部２２の稜線を見るとジグザグ形状に形成されている。
【００３５】
具体的には、上側緊締部２１は、基準ラインＬと平行なラインＬ１に沿って上側緊締部２１を横切る線の長さが基準ラインＬから離れる程短くなる形状である。なお、本例では、上側緊締部２１を横切る線の長さが基準ラインＬから離れる程短くなる形状である例を挙げているが、本発明はこれに限られない。例えば、上側緊締部２１は仮想的に上下方向（すなわち、基準ラインＬと交差する方向）の全長を２等分したときに上側部分が下側部分よりも面積が小さくなるような三角形状や紡錘形状、波状等であれば良い。
【００３６】
また、下側緊締部２２は、基準ラインＬと平行なラインＬ２に沿って下側緊締部２２を横切る線の長さが、基準ラインＬから離れる程短くなる形状である。なお、本例では、下側緊締部２２を横切る線の長さが基準ラインＬから離れる程短くなる形状である例を挙げているが、本発明はこれに限られない。例えば、下側緊締部２２は仮想的に上下方向（すなわち、基準ラインＬと交差する方向）の全長を２等分したときに下側部分が上側部分よりも面積が小さくなるような三角形状や紡錘形状、波状等であれば良い。または、上側緊締部２１と下側緊締部２２とは、基準ラインＬと平行なラインＬ１，Ｌ２によって切断した際の単位面積が基準ラインＬから離れるほど小さくなる形状である。
【００３７】
図１及び図２に示す例において、上側緊締部２１は、股下３０１の左右付近で基準ラインＬ側が底辺となる略三角形状が配置されるとともに、左右の大転子３００付近で基準ラインＬ側が底辺となる略台形状が配置されている。また、下側緊締部２２は、股下３０１の左右付近で基準ラインＬ側が底辺となる略三角形状（逆三角形状）が配置されるとともに、左右の大転子３００付近で基準ラインＬ側が底辺となる略台形状（下辺の方が上辺よりも短くなる台形状）が配置されている。したがって、図１及び図２に示す例では、上下の緊締部２１，２２の全体を見ると、股下３０１の左右両側付近では上下側が細くなる略ひし形状に形成してあり、基準ラインＬ上に沿って略ひし形を配置した状態である。換言すると、ヒップ緊締部２０は、独立した複数の領域の集合で形成されている。
【００３８】
図１及び図２に示す例では、三角形状を成す上側緊締部２１の下辺側部分と、下側の方が幅が狭くなるように形成された台形状を成す下側緊締部２２の上辺側部分とが一体に形成され、上下で略ひし形状を形成している。しかし、本発明は、これに限定されるものではない。例えば、上側緊締部を構成する多角形の底辺側部分と下側緊締部を構成する多角形の上辺側部分とが、その一部が重複するように形成されていてもよい。また、例えば、基準ラインＬ近傍での締め付け力が最も大きくなるのであれば、上側緊締部と、下側緊締部がそれぞれ分離するように形成してもよい。この場合にも、本実施形態に係るガードル１Ａと同様の効果を得ることができる。
【００３９】
なお、本実施形態では、ヒップ緊締部２０は略ひし形状に形成されているが、例えば、樹脂プリントや編組織の変更または抜蝕加工等を用いて前記の略ひし形の内側部分をドット状や格子状、若しくはスリット状に形成するようにしてもよい。この場合にも本実施形態に係るガードル１Ａと同様の効果を得ることができる。
【００４０】
上側緊締部２１及び下側緊締部２２の稜線がジグザグ形状に形成されているため、ガードル１Ａは、着用者の臀部のボリュームをスムーズに移動させることができ、ヒップアップの際にヒップを美しく造形することができる。例えば、上側緊締部２１及び下側緊締部２２の稜線が、単なる直線や曲線等であってジグザグ形状でない場合、着用者のヒップ部分において本体部１０とヒップ緊締部２０との境界で段差が形成される。一方、上側緊締部２１及び下側緊締部２２の稜線をジグザグ形状にすることで、ヒップ部分に段差が形成されることを防ぐことができる。また、上側緊締部２１及び下側緊締部２２の稜線がジグザグ形状に形成されるため、着用者の運動による臀部の皮膚の伸縮に対する追従性に優れるので、美しいシルエットだけでなく、快適な着用感を得ることができる。
【００４１】
図１に示すように補助緊締部１３を有する場合、上側緊締部２１や下側緊締部２２よりも弛緩性のある補助緊締部１３によっても上側緊締部２１及び下側緊締部２２とともに、ヒップを持ち上げつつ美しく造形することができる。一方、補助緊締部１３が存在せず、補助緊締部１３が本体部１０と一体である場合であっても同様である。
【００４２】
また、上側緊締部２１及び下側緊締部２２の稜線がジグザグ形状に形成されているため、ガードル１Ａは、ヒップの造形とともに、ずり上がりを防止することができる。具体的には、ヒップ緊締部２０の位置の基準となる大転子３００と股下３０１を結ぶ基準ラインＬは、臀溝３０２等の運動時による皮膚の変化率の最も高い部分より上方に設けられている。そのため、臀溝３０２と比較すると、運動による皮膚の伸展に応じた影響を受けにくいものの、この基準ラインＬ部分も運動により若干（１．２〜１．０倍程度）伸展するため、ずり上がりが生じる可能性がある。したがって、上側緊締部２１と下側緊締部２２の稜線をジグザグ形状に形成することで、運動の際の臀部の動きに応じてガードル１Ａも伸縮し、ずり上がりを防止し、快適な着用感を得ることができる。また、ずり上がり防止により、ガードル１Ａの補整機能もより長い時間保持される。
【００４３】
図１に示すように補助緊締部１３を有する場合、上側緊締部２１や下側緊締部２２よりも弛緩性のある補助緊締部１３によっても上側緊締部２１及び下側緊締部２２とともに、ずり上がりを防止することができる。一方、補助緊締部１３が存在せず、補助緊締部１３が本体部１０と一体である場合であっても同様である。
【００４４】
ここで、ヒップ緊締部２０において、上側緊締部２１は特にヒップの造形機能を高く発揮する。また、下側緊締部２２は、特にずり上がり防止の機能を高く発揮する。
【００４５】
なお、上述の説明では、ガードル１Ａの丈は言及していないが、ショート丈からロング丈まで幅広い丈のガードルでずり上がり防止の機能を発揮することができる。従来、特にショート丈のガードルではずり上がりが生じ易いという課題があったため、ショート丈のガードルにおいては、特に高い効果を発揮することができる。また、ここでは、補整機能を有するガードル１Ａを例として説明したが、補整機能（ヒップアップ機能）を有しない股付き衣類であっても、ずれ上がり防止のためにヒップ緊締部２０を設けることができる。
【００４６】
［実施例］
図５乃至図７を用いて、実施形態に係るガードル１Ａを着用した例の評価を説明する。ここでは、ガードル１Ａとして、股下３０１からの丈が５ｃｍ程度のガードル（ショート丈のガードル）を使用している。
【００４７】
図５（ａ）は、Ｔバックショーツを着用したヌードと同等の状態である。また、図５（ｂ）は、従来の股付き衣類であるショート丈（股下からの丈が５ｃｍ程度）のガードルを着用した運動前の状態である。さらに、図５（ｃ）は、実施形態に係るガードル１Ａを着用した運動前の状態である。また、図５（ｄ）は、図５（ｂ）で着用しているショート丈のガードルを着用して運動（主に下半身の運動）を行った後に撮影された状態を示している。さらに、図５（ｅ）は、図５（ｃ）で着用しているガードル１Ａを着用して、図５（ｄ）と同一の条件で運動した後の状態の一例である。なお、図５（ａ）〜図５（ｅ）の着用者は全て同一であって、臀部の撮影結果を忠実に示したものである。
【００４８】
ここで、運動前の従来のショート丈のガードルの着用時の状態（図５（ｂ））とガードル１Ａの着用時の状態（図５（ｃ））とを比較した場合、ガードルの着用状態に目立った差異はない。これに対し、従来のショート丈のガードルを着用時（図５（ｄ））には、運動によりガードルのすそ部分がずり上がり、ガードルのすそ部分から臀部の贅肉に食い込むとともに、贅肉がガードルのすそ部分からはみ出て、着崩れが生じていることが分かる。一方、ガードル１Ａを着用時（図５（ｅ））には、運動によるずり上がりは生じていないことが分かる。
【００４９】
図６（ａ）〜図６（ｃ）はそれぞれ、図５（ａ）、図５（ｄ）、図５（ｅ）に対応して撮影された等高線を表す図である。臀部がヌードと同等の状態（図６（ａ））と図６（ｂ）の従来のショート丈のガードルを着用した状態を比較すると、図６（ｂ）の従来のショート丈のガードルを着用した場合の方が運動後のヒップトップの位置が低くなり、ヒップのシルエットが崩れていることがわかる。また、図６（ａ）〜図６（ｃ）を比較すると、ガードル１Ａを着用時にヒップトップの位置が最も高くなり、運動によるずれが生じにくく、運動後でも美しいヒップを造形できることが分かる。
【００５０】
図７（ａ）〜図７（ｃ）は、被験者の臀部を表す側面図であり、臀部の撮影結果を忠実に示したものである。具体的には、図７（ａ）は、Ｔバックショーツを着用した臀部がヌードと同等の状態である。また、図７（ｂ）は、従来の股付き衣類であるロング丈のガードルを着用した状態である。ここで、ロング丈のガードルとは、股下からの丈が１５〜２０ｃｍ程度のガードルを意味する。さらに、図７（ｃ）は、実施形態に係るガードル１Ａを着用した状態である。この図７（ｂ）及び図７（ｃ）は、同一の被験者がそれぞれの股付き衣類を着用後、図５の場合と同一条件の運動を行った後に撮影された状態を示している。
【００５１】
図７（ｂ）に示すように、従来のロング丈のガードルを着用した状態では、運動によってガードルがずり上がり、ガードルの臀溝部分が被験者の臀部の贅肉に食い込んで着崩れが生じていることが分かる。また、図７（ｃ）に示すように、ガードル１Ａを着用した状態では、運動によるずり上がり等は生じていないことが分かる。
【００５２】
図７（ｄ）〜図７（ｆ）はそれぞれ、図７（ａ）〜図７（ｃ）に対応して撮影された等高線を表す図である。図７（ｄ）のヌードと同等の状態と図７（ｅ）の従来のロング丈のガードルを着用した状態を比較すると、ヒップトップの位置が略同一であり、従来のガードルでは、運動後にはガードルによるヒップアップの効果が得られていないことが分かる。また、図７（ｄ）〜図７（ｆ）を比較すると、ガードル１Ａを着用時のヒップトップの位置が最も高くなり、ガードル１Ａでは運動によるずれが生じにくく、運動後でも美しいヒップを造形できることが分かる。
【００５３】
また、同時に１４名の被験者に、実施形態に係るガードル１Ａの他、４種類の従来のガードルを着用した際の比較に関するアンケートを行った。
【００５４】
第１の比較対象である従来のショート丈（ガードルＸ１、図５（ｂ）で着用）との比較によると、「裾ずれを感じないガードル」として、ガードル１Ａを選択した被験者は１２名、ガードルＸ１を選択した被験者は１名、ガードル１ＡとガードルＸ１が同等と選択した被験者は１名であった。また、「ヒップのホールド感があるガードル」として、ガードル１Ａを選択した被験者は１２名、ガードルＸ１を選択した被験者は１名、ガードル１ＡとガードルＸ１が同等と選択した被験者は１名であった。さらに、「ヒップアップ感があるガードル」としてガードル１Ａを選択した被験者は１３名、ガードルＸ１を選択した被験者は１名であった。また、「着装感がよく快適なガードル」としてガードル１Ａを選択した被験者は１２名、ガードルＸ１を選択した被験者は１名、ガードル１ＡとガードルＸ１が同等と選択した被験者は１名であった。
【００５５】
次に、第２の比較対象である従来のショート丈のガードル（ガードルＸ２）との比較によると、「裾ずれを感じないガードル」として、ガードル１Ａを選択した被験者は１１名、ガードルＸ２を選択した被験者は２名、ガードル１ＡとガードルＸ２が同等と選択した被験者は１名であった。また、「ヒップのホールド感があるガードル」として、ガードル１Ａを選択した被験者は１３名、ガードルＸ２を選択した被験者は１名であった。さらに、「ヒップアップ感があるガードル」としてガードル１Ａを選択した被験者は１２名、ガードルＸ２を選択した被験者は２名であった。また、「着装感がよく快適なガードル」としてガードル１Ａを選択した被験者は１３名、ガードルＸ２を選択した被験者は１名であった。
【００５６】
続いて、第３の比較対象である従来のショート丈のガードル（ガードルＸ３）との比較によると、「裾ずれを感じないガードル」として、ガードル１Ａを選択した被験者は１３名、ガードルＸ３を選択した被験者は１名であった。また、「ヒップのホールド感があるガードル」として、ガードル１Ａを選択した被験者は１４名であった。さらに、「ヒップアップ感があるガードル」としてガードル１Ａを選択した被験者は１３名、ガードル１ＡとガードルＸ３が同等と選択した被験者は１名であった。また、「着装感がよく快適なガードル」としてガードル１Ａを選択した被験者は１３名、ガードルＸ３を選択した被験者は１名であった。
【００５７】
また、第４の比較対象である従来のロング丈のガードル（ガードルＸ４、図７（ｂ）で着用）との比較によると、「臀溝のすっきり感があるガードル」として、ガードル１Ａを選択した被験者は９名、ガードルＸ４を選択した被験者は１名、ガードル１ＡとガードルＸ４が同等と選択した被験者は４名であった。また、「ヒップのホールド感があるガードル」として、ガードル１Ａを選択した被験者は５名、ガードルＸ４を選択した被験者は２名、ガードル１ＡとガードルＸ４が同等と選択した被験者は７名であった。さらに、「ヒップアップ感があるガードル」としてガードル１Ａを選択した被験者は８名、ガードル１ＡとガードルＸ１が同等と選択した被験者は６名であった。また、「着装感がよく快適なガードル」としてガードル１Ａを選択した被験者は９名、ガードルＸ４を選択した被験者は３名、ガードル１ＡとガードルＸ１が同等と選択した被験者は２名であった。
【００５８】
さらに、ガードル１Ａに関し、「これほどズレないガードルははじめて」、「ショート丈のガードルなのにお尻を持ち上げてくれるのを実感できる」、「ヒップアップするのはロング丈のガードルだけだと思っていた」、「これほどロングのように臀溝がすっきりするショート丈のガードルはめったにない」等のコメントが被験者から寄せられた。
【００５９】
［第１変形例］
図８を用いて、実施形態の第１変形例に係るガードル１Ｂの例について説明する。ガードル１Ｂを、図１を用いて上述したガードル１Ａと比較すると、ガードル１Ｂでは、ヒップ緊締部２０が左右の大転子３００から股下３０１の範囲に形成されることは勿論のこと、このガードル１Ｂのヒップ緊締部２０の稜線が山並形状に形成されている。具体的には、ガードル１Ｂの上側緊締部２１及び下側緊締部２２を構成する各領域の形状は、上下方向に先細りになる曲線によって囲繞された形状である。換言すれば、上側緊締部２１の稜線の曲線は、例えば、ｓｉｎカーブに類似した波形状である。また、下側緊締部２２の稜線の曲線は、上側緊締部２１の曲線と略対称的な曲線であって、頂部（底部）は直線によって切断した形態である。
【００６０】
したがって、第１変形例に係るガードル１Ｂの上側緊締部２１も、仮想的に上下方向の全長を２等分したときに上側部分が下側部分よりも面積が小さくなるように形成されている。また、ガードル１Ｂの下側緊締部２２も仮想的に上下方向の全長を２等分したときに下側部分が上側部分よりも面積が小さくなるように形成されている。
【００６１】
このように、第１変形例に係るガードル１Ｂでも、ヒップ緊締部２０の稜線がジグザグ形状に形成されているため、ヒップを美しく造形するとともに、ずり上がりを防止することができる。
【００６２】
なお、図８では補助緊締部１３は表されていないが、第１変形例に係るガードル１Ｂでも、本体部１０及びヒップ緊締部２０と隣接して補助緊締部１３を有していてもよい。
【００６３】
［第２変形例］
図９を用いて、実施形態の第２変形例に係るガードル１Ｃの例について説明する。ガードル１Ｃを、図１を用いて上述したガードル１Ａと比較すると、ガードル１Ｃでは、ヒップ緊締部２０が左右の大転子３００から股下３０１の範囲に形成されることは勿論のこと、このガードル１Ｃのヒップ緊締部２０では、上側緊締部２１及び下側緊締部２２において、基準ラインＬ上に配置されて隣り合う多角形との頂点Ｐは僅かに離れている。したがって、ガードル１Ｃの上側緊締部２１及び下側緊締部２２は、複数の独立するとともに、基準ラインＬに沿って隣接した上側緊締部２１の領域と下側緊締部２２の領域との間における緩みによる悪影響のない程度に離れて配置される領域で形成されている。
【００６４】
なお、ここでは、図９に示すように、基準ラインＬに沿って離れて配置される複数の領域で形成される稜線も全体的に見ればジグザグ形状である。また、図９では、各領域は離れて配置されているが、隣り合う領域の点ｐを結ぶように形成されていてもよい。
【００６５】
したがって、第２変形例に係るガードル１Ｃの上側緊締部２１も、仮想的に上下方向の全長を２等分したときに上側部分が下側部分よりも面積が小さくなるように形成されている。また、ガードル１Ｃの下側緊締部２２も仮想的に上下方向の全長を２等分したときに下側部分が上側部分よりも面積が小さくなるように形成されている。
【００６６】
このように、第２変形例に係るガードル１Ｃでも、ヒップ緊締部２０の稜線がジグザグ形状に形成されているため、ヒップを美しく造形するとともに、ずり上がりを防止することができる。
【００６７】
なお、図９では補助緊締部１３は表されていないが、第２変形例に係るガードル１Ｃでも、本体部１０及びヒップ緊締部２０と隣接して補助緊締部１３を有していてもよい。
【００６８】
［第３変形例］
図１０を用いて、実施形態の第３変形例に係るガードル１Ｄの例について説明する。ガードル１Ｄを、図１を用いて上述したガードル１Ａと比較すると、ガードル１Ｄでは、ヒップ緊締部２０が左右の大転子３００から股下の範囲に形成されることは勿論のこと、ガードル１Ｄの上端の脇部分から大転子３００を通って股下までの範囲に至って形成されている。したがって、ガードル１Ｄのウエストサポート部１２は、ウエスト部分で環状に形成されているのではなく、前面（前身頃）と背面（後身頃）とで分断されている。
【００６９】
また、図１０に示す例では、ヒップ緊締部２０はその稜線が上下方向にジグザグ形状に形成されているが、図１０に示すような複数の多角形で形成される形状に限定されず、先端部分が曲線で形成される形状であってもよい。
【００７０】
第３変形例に係るガードル１Ｄの場合にも、ヒップ緊締部２０の上側緊締部２１により主にヒップの造形を実現し、下側緊締部２２により主に運動時におけるずり上がりの防止を実現することができる。また、図１０に示すガードル１Ｄは、図１に示すガードル１Ａと比較してヒップ緊締部２０の位置が着用者の腰付近にも存在するため、より広い範囲から着用者のヒップをサポートすることができる。したがって、図１を用いて上述したガードルと比較して、サポートがしやすく、より美しくヒップを造形することができる。
【００７１】
以上、実施形態及び変形例を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。
【符号の説明】
【００７２】
１Ａ〜１Ｄ…ガードル
１０…本体部
１１…股部
１２…ウエストサポート部
１３…補助緊締部
２０…ヒップ緊締部
２１…上側緊締部
２２…下側緊締部
Ｌ…基準ライン（仮想基準ライン）
３００…大転子
３０１…股下
３０２…臀溝
【図１】
2014189919.tif 000003
【図２】
2014189919.tif 000004
【図３】
2014189919.tif 000005
【図４】
2014189919.tif 000006
【図５】
2014189919.tif 000007
【図６】
2014189919.tif 000008
【図７】
2014189919.tif 000009
【図８】
2014189919.tif 000010
【図９】
2014189919.tif 000011
【図１０】
2014189919.tif 000012